【手続補正書】
【提出日】平成26年12月10日(2014.12.10)
【手続補正１】
【補正対象書類名】特許請求の範囲
【補正対象項目名】全文
【補正方法】変更
【補正の内容】
【特許請求の範囲】
【請求項１】
ネットワークに接続されるように適合されたメディアサーバをコントロールするための方法であって、
前記ネットワークに接続されたメディアクライアントデバイスから放送メディアアイテムにアクセスするための要求を受信するステップと、
前記放送メディアアイテムにチューニングするための放送パラメータを決定するステップであって、前記放送パラメータは、放送周波数及び仮想チャンネル番号のうちの少なくとも１つを含む、ステップと、
前記放送パラメータを表すコマンド文字列を決定するステップと、
前記要求に応答して前記コマンド文字列を前記メディアクライアントデバイスに送信するステップと、
を含む、前記方法。
【請求項２】
前記ネットワークはＬＡＮである、請求項１に記載の方法。
【請求項３】
前記要求は、放送局と関連付けられるコールサインおよびチャンネル番号を少なくとも含む、請求項１に記載の方法。
【請求項４】
前記コマンド文字列を決定するステップは、前記メディアサーバ内に格納された相関テーブルを使用して、前記コールサインおよび前記チャンネル番号のうちの前記少なくとも１つを前記放送パラメータと相関付けるステップを含む、請求項３に記載の方法。
【請求項５】
前記コマンド文字列は、前記ネットワークに接続されたデバイスによって知られるエンコーディングアルゴリズムを使用して前記放送パラメータでエンコードされたＵＲＬを備える、請求項１に記載の方法。
【請求項６】
前記コマンド文字列は、Ｄｂｕｓｓｅｎｄ  Ｌｏｃａｔｏｒの文字列を備える、請求項１に記載の方法。
【請求項７】
メディアクライアントをコントロールして放送メディアアイテムにアクセスする方法であって、
前記放送メディアアイテムにアクセスするための要求を、ネットワークに接続されたメディアサーバへ送信するステップと、
前記メディアサーバからコマンド文字列を受信するステップと、
前記コマンド文字列をデコードして、前記放送メディアアイテムに関連付けられた放送パラメータを決定する、デコードするステップであって、前記放送パラメータは、放送周波数及び仮想チャンネル番号のうちの少なくとも１つを含む、ステップと、
前記決定された放送パラメータに応答してチューナをコントロールして、前記放送メディアアイテムにアクセスする、コントロールするステップと
を備える、前記方法。
【請求項８】
前記要求は、放送局と関連付けられるコールサインおよびチャンネル番号のうちの少なくとも１つを含む、請求項７に記載の方法。
【請求項９】
前記デコードするステップは、前記メディアサーバ内に格納された相関テーブルを使用して前記放送パラメータを決定するステップを備える、請求項７に記載の方法。
【請求項１０】
前記コマンド文字列は、前記ネットワークに接続されたデバイスによって知られるエンコーディングアルゴリズムを使用して前記放送パラメータでエンコードされたＵＲＬを含む、請求項７に記載の方法。
【請求項１１】
ネットワークに接続されるように適合されるメディアサーバであって、
前記ネットワークに接続されたメディアクライアントデバイスから放送メディアアイテムにアクセスするための要求を受信し、
前記放送メディアアイテムにチューニングするための放送パラメータであって、放送周波数及び仮想チャンネル番号のうちの少なくとも１つを含む、前記放送パラメータを決定し、
前記放送パラメータを表すコマンド文字列を決定し、
前記要求に応答して前記コマンド文字列を前記メディアクライアントデバイスに送信する
ための前記メディアサーバ
を備える、装置。
【請求項１２】
前記ネットワークはＬＡＮである、請求項１１に記載の装置。
【請求項１３】
前記要求は、放送局と関連付けられるコールサインおよびチャンネル番号のうちの少なくとも１つを含む、請求項１１に記載の装置。
【請求項１４】
前記コマンド文字列の決定は、前記メディアサーバ内に格納された相関テーブルを使用して、前記コールサインおよび前記チャンネル番号のうちの前記少なくとも１つを前記放送パラメータと相関付けることを備える、請求項１３に記載の装置。
【請求項１５】
前記コマンド文字列は、前記ネットワークに接続されたデバイスによって知られるエンコーディングアルゴリズムを使用して前記放送パラメータでエンコードされたＵＲＬを含む、請求項１１に記載の装置。
【請求項１６】
放送メディアアイテムにアクセスするためのメディアクライアントデバイスであって、
前記放送メディアアイテムにアクセスするための要求を、ネットワークに接続されたメディアサーバへ送信し、
前記メディアサーバからコマンド文字列を受信し、
前記コマンド文字列をデコードして、前記放送メディアアイテムに関連付けられた放送パラメータであって、放送周波数及び仮想チャンネル番号のうちの少なくとも１つを含む、前記放送パラメータを決定し、
前記決定された放送パラメータに応答してチューナをコントロールして、前記放送メディアアイテムにアクセスする
ための前記メディアクライアントデバイス
を備える、装置。
【請求項１７】
前記要求は、放送局と関連付けられるコールサインおよびチャンネル番号のうちの少なくとも１つを含む、請求項１６に記載の装置。
【請求項１８】
前記デコードは、前記メディアサーバ内に格納された相関テーブルを使用して前記放送パラメータを決定することを含む、請求項１６に記載の装置。
【請求項１９】
前記コマンド文字列は、前記ネットワークに接続されるデバイスによって知られるエンコーディングアルゴリズムを使用して前記放送パラメータでエンコードされたＵＲＬを含む、請求項１６に記載の装置。
【請求項２０】
ネットワークに接続されるように適合されるメディアサーバであって、
放送メディアアイテムにアクセスするための要求を受信し、
前記放送メディアアイテムにチューニングするための放送パラメータであって、放送周波数及び仮想チャンネル番号のうちの少なくとも１つを含む、前記放送パラメータを決定し、
前記放送パラメータを表すコマンド文字列を決定し、
前記要求に応答して前記コマンド文字列を送信する
ための前記メディアサーバと、
前記放送メディアアイテムにアクセスするためのメディアクライアントデバイスであって、
前記放送メディアアイテムにアクセスするための前記要求を前記メディアサーバへ送信し、
前記メディアサーバから前記コマンド文字列を受信し、
前記コマンド文字列をデコードして、前記放送メディアアイテムに関連付けられた前記放送パラメータを決定し、
前記決定された放送パラメータに応答してチューナをコントロールして、前記放送メディアアイテムにアクセスする
ための前記メディアクライアントデバイスと、
を備える、システム。
【手続補正２】
【補正対象書類名】明細書
【補正対象項目名】００５１
【補正方法】変更
【補正の内容】
【００５１】
本発明の原理の根幹をなす新規な特徴を示し、説明し、指摘したが、説明されている方法および示されているデバイスの形態および詳細において、ならびにそれらの動作において、本発明の原理の趣旨から逸脱することなく、当業者によってさまざまな省略、置換、および変更を行うことができるということが理解できるであろう。たとえば、実質的に同じ機能を実質的に同じ方法で実行して同じ結果を達成する要素および／または方法ステップのすべての組合せは本発明の原理の範囲内であることが明らかに意図されている。その上、本発明の原理の任意の開示されている形態または実施態様に関連して示されているおよび／または説明されている構造および／または要素および／または方法ステップは、設計上の選択という一般的な問題として、その他の任意の開示、説明、または提案されている形態または実施態様に組み込むことができるということを認識されたい。したがって、添付の特許請求の範囲の範疇によって示されているようにのみ限定されることが意図されている。
［付記１］
ネットワークに接続されるように適合されたメディアサーバをコントロールするための方法であって、
放送メディアアイテムにアクセスするための要求を受信することと、
前記放送メディアアイテムにチューニングするための放送パラメータを特定することと、
前記放送パラメータを表すコマンド文字列を特定することと、
前記要求に応答して前記コマンド文字列を送信することと
を含む、前記方法。
［付記２］
前記ネットワークはＬＡＮであり、
前記受信するステップは、前記ＬＡＮに接続されたメディアクライアントデバイスから前記要求を受信することを備え、前記送信するステップは、前記コマンド文字列を前記メディアクライアントデバイスへ送信することを含む、付記１に記載の方法。
［付記３］
前記メディアサーバおよびメディアクライアントデバイスは、ＤＬＮＡ準拠デバイスである、付記２に記載の方法。
［付記４］
前記要求は、放送局と関連付けられるコールサインおよびチャンネル番号を少なくとも含む、付記１に記載の方法。
［付記５］
前記コマンド文字列を前記特定することは、前記メディアサーバ内に格納された相関テーブルを使用して、前記コールサインおよび前記チャンネル番号のうちの前記少なくとも１つを前記放送パラメータと相関付けることを含む、付記４に記載の方法。
［付記６］
前記放送パラメータは、放送周波数および仮想チャンネル番号のうちの少なくとも１つを含む、付記１に記載の方法。
［付記７］
前記放送パラメータは、ネットワークＩＤと、トランスポートストリームＩＤと、サービスＩＤとを含むＤＶＢトリプレット情報を含む、付記１に記載の方法。
［付記８］
前記コマンド文字列は、前記ネットワークに接続されたデバイスによって知られるエンコーディングアルゴリズムを使用して前記放送パラメータでエンコードされたＵＲＬを備える、付記１に記載の方法。
［付記９］
前記コマンド文字列は、Ｄｂｕｓｓｅｎｄ  Ｌｏｃａｔｏｒの文字列を備える、付記１に記載の方法。
［付記１０］
メディアクライアントをコントロールして放送メディアアイテムにアクセスする方法であって、
前記放送メディアアイテムにアクセスするための要求を、ネットワークに接続されたメディアサーバへ送信することと、
前記メディアサーバからコマンド文字列を受信することと、
前記コマンド文字列をデコードして、前記放送メディアアイテムに関連付けられた放送パラメータを特定することと、
前記特定された放送パラメータに応答してチューナをコントロールして、前記放送メディアアイテムにアクセスすることと
を備える、前記方法。
［付記１１］
前記メディアサーバおよびメディアクライアントデバイスは、ＤＬＮＡ準拠デバイスである、付記１０に記載の方法。
［付記１２］
前記要求は、放送局と関連付けられるコールサインおよびチャンネル番号のうちの少なくとも１つを含む、付記１０に記載の方法。
［付記１３］
前記放送パラメータは、放送周波数および仮想チャンネル番号のうちの少なくとも１つを含む、付記１０に記載の方法。
［付記１４］
前記コマンド文字列は、ネットワークＩＤと、トランスポートストリームＩＤと、サービスＩＤとを含むＤＶＢトリプレット情報を含む、付記１０に記載の方法。
［付記１５］
前記デコードすることは、前記メディアサーバ内に格納された相関テーブルを使用して前記放送パラメータを特定することを備える、付記１０に記載の方法。
［付記１６］
前記コマンド文字列は、前記ネットワークに接続されたデバイスによって知られるエンコーディングアルゴリズムを使用して前記放送パラメータでエンコードされたＵＲＬを含む、付記１０に記載の方法。
［付記１７］
ネットワークに接続されるように適合されるメディアサーバであって、
放送メディアアイテムにアクセスするための要求を受信することと、
前記放送メディアアイテムにチューニングするための放送パラメータを特定することと、
前記放送パラメータを表すコマンド文字列を特定することと、
前記要求に応答して前記コマンド文字列を送信することと
を行う、前記メディアサーバ
を備える、装置。
［付記１８］
前記ネットワークはＬＡＮであり、前記メディアサーバは、前記ＬＡＮに接続されるメディアクライアントデバイスから前記要求を受信し、前記メディアサーバは、前記コマンド文字列を前記メディアクライアントデバイスへ送信する、付記１７に記載の装置。
［付記１９］
前記メディアサーバおよびメディアクライアントデバイスは、ＤＬＮＡ準拠デバイスである、付記１８に記載の装置。
［付記２０］
前記要求は、放送局と関連付けられるコールサインおよびチャンネル番号のうちの少なくとも１つを含む、付記１７に記載の装置。
［付記２１］
前記コマンド文字列を前記特定することは、前記メディアサーバ内に格納された相関テーブルを使用して、前記コールサインおよび前記チャンネル番号のうちの前記少なくとも１つを前記放送パラメータと相関付けることを備える、付記２０に記載の装置。
［付記２２］
前記放送パラメータは、放送周波数および仮想チャンネル番号のうちの少なくとも１つを含む、付記１７に記載の装置。
［付記２３］
前記コマンド文字列は、前記ネットワークに接続されたデバイスによって知られるエンコーディングアルゴリズムを使用して前記放送パラメータでエンコードされたＵＲＬを含む、付記１７に記載の装置。
［付記２４］
前記コマンド文字列は、ネットワークＩＤと、トランスポートストリームＩＤと、サービスＩＤとを含むＤＶＢトリプレット情報を含む、付記２３に記載の装置。
［付記２５］
放送メディアアイテムにアクセスするためのメディアクライアントであって、
前記放送メディアアイテムにアクセスするための要求を、ネットワークに接続されたメディアサーバへ送信することと、
前記メディアサーバからコマンド文字列を受信することと、
前記コマンド文字列をデコードして、前記放送メディアアイテムに関連付けられた放送パラメータを特定することと、
前記特定された放送パラメータに応答してチューナをコントロールして、前記放送メディアアイテムにアクセスすることと
を行う、前記メディアクライアント
を備える、装置。
［付記２６］
前記メディアサーバおよびメディアクライアントデバイスは、ＤＬＮＡ準拠デバイスである、付記２５に記載の装置。
［付記２７］
前記要求は、放送局と関連付けられるコールサインおよびチャンネル番号のうちの少なくとも１つを含む、付記２５に記載の装置。
［付記２８］
前記放送パラメータは、放送周波数および仮想チャンネル番号のうちの少なくとも１つを含む、付記２５に記載の装置。
［付記２９］
前記コマンド文字列は、ネットワークＩＤと、トランスポートストリームＩＤと、サービスＩＤとを含むＤＶＢトリプレット情報を含む、付記２５に記載の装置。
［付記３０］
前記デコードすることは、前記メディアサーバ内に格納された相関テーブルを使用して前記放送パラメータを特定するステップを含む、付記２５に記載の装置。
［付記３１］
前記コマンド文字列は、前記ネットワークに接続されるデバイスによって知られるエンコーディングアルゴリズムを使用して前記放送パラメータでエンコードされたＵＲＬを含む、付記２５に記載の装置。
［付記３２］
ネットワークに接続されるように適合されるメディアサーバであって、
放送メディアアイテムにアクセスするための要求を受信することと、
前記放送メディアアイテムにチューニングするための放送パラメータを特定することと、
前記放送パラメータを表すコマンド文字列を特定することと、および
前記要求に応答して前記コマンド文字列を送信することと
を行う、前記メディアサーバと、
前記放送メディアアイテムにアクセスするためのメディアクライアントであって、
前記放送メディアアイテムにアクセスするための前記要求を前記メディアサーバへ送信することと、
前記メディアサーバから前記コマンド文字列を受信することと、
前記コマンド文字列をデコードして、前記放送メディアアイテムに関連付けられた前記放送パラメータを特定することと、および
前記特定された放送パラメータに応答してチューナをコントロールして、前記放送メディアアイテムにアクセスすることと、
を行う、前記メディアクライアントと
を備える、システム。